(57)【特許請求の範囲】
【請求項１】
浴室の空気を循環する循環送風手段と、空気を加熱するための加熱手段と、空気を加湿するための加湿手段を備え、循環送風手段と加熱手段により加熱した加熱空気と、加湿手段により加湿された加湿空気がサウナ対象室に加熱および加湿する構成であって、加湿手段で発生したドレン水を排出する本体排水接続口を、本体の点検口側側面に配置し、前記本体排水接続口に接続する排水接続継手を略Ｌ型の曲折経路とし、前記略Ｌ型の排水接続継手を回動自在なジョイント手段とし、前記本体排水接続口と連結したことを特徴とするサウナ装置。
【請求項２】
排水接続継手の排水配管接続側を６角形状としたことを特徴とする請求項１記載のサウナ装置。
【請求項３】
排水配管の下り勾配を確保できる範囲で、角度固定部材と回動自在な略Ｌ型の排水接続継手を締結する手段を設けたことを特徴とする請求項１記載のサウナ装置。
【請求項４】
排水配管の下り勾配を確保できる範囲で、角度固定機構を略Ｌ型の排水接続継手の回動自在なジョイント手段に設けたことを特徴とする請求項１記載のサウナ装置。
【請求項５】
排水接続継手に接続された排水用配管を、下り勾配を確保できる範囲で本体側面に支持する構造を設けたことを特徴とする請求項１記載のサウナ装置。
【請求項６】
排水接続継手に接続された排水用配管を、下り勾配を確保できる範囲で給水接続口に支持する構造を設けたことを特徴とする請求項１記載のサウナ装置。
【請求項７】
排水接続継手に接続された排水用配管を、下り勾配を確保できる範囲で換気ファンボックスに支持する構造を設けたことを特徴とする請求項１記載のサウナ装置。
【請求項８】
本体外に排水配管支持部材を設け、支持部材は本体の一部に固定できる構造を設けたことを特徴とする請求項１記載のサウナ装置。
【請求項９】
本体外に排水配管支持部材を設け、支持部材は本体の一部に固定できる構造とし、支持部材を伸縮自在としたことを特徴とする請求項８記載のサウナ装置。
【発明の詳細な説明】
【技術分野】
【０００１】
本発明は、浴室内を高温高湿なサウナ空間にするサウナ装置に関する。
【背景技術】
【０００２】
従来、この種のサウナ装置は、排水管を接続しており、装置内に残った加湿用の水または温水を、排水管へ排水する構成としたものが知られている（例えば、特許文献１参照）。
【０００３】
以下、そのサウナ装置について、図１５を参照しながら説明する。
【０００４】
図に示すように、浴室１１０の天井面上部に、加湿手段１０１と加熱手段１０２を備え、浴室１１０の側面には熱源である給湯器１０３が設置され、加湿手段１０１と給湯器１０３は加湿用１次温水循環回路１０４で連結され、給湯器１０３から８０度の温水が加湿手段１０１に送水され、熱交換した後、加湿手段１０１より加湿用１次温水循環回路１０４を通じて給湯器１０３に戻り、給湯器１０３で再び加熱され加湿手段１０１に送水される。
【０００５】
一方、加熱手段１０２と給湯器１０３は、加熱用１次温水循環回路１０５で連結され、給湯器１０３から８０度の温水が加熱手段１０２に送水され、熱交換した後、加熱手段１０２より加熱用１次温水循環回路１０５を通じて給湯器１０３に戻り、給湯器１０３で再び加熱され加熱手段１０２に送水される。
【０００６】
さらに、加湿手段１０１には、加湿手段外郭１０９に市水を通水し供給する給水管１０７が接続されており、この水が加湿に用いられ、加湿残水を排出する排水管１０８も接続されている。
【特許文献１】特開２００５−１５２１９９号公報
【発明の開示】
【発明が解決しようとする課題】
【０００７】
このような従来のサウナ装置では、左右の排水方向によって、排水路が長くなるため下り勾配の確保が困難であるという課題がある。
【０００８】
本発明は、このような従来の課題を解決するものであり、左右の排水方向に影響されず排水下り勾配を確実に確保できるサウナ装置を提供することを目的とする。
【課題を解決するための手段】
【０００９】
本発明のサウナ装置は、上記目的を達成するために、浴室の空気を循環する循環送風手段と、空気を加熱するための加熱手段と、空気を加湿するための加湿手段を備え、循環送風手段と加熱手段により加熱した加熱空気と、加湿手段により加湿された加湿空気がサウナ対象室に加熱および加湿する構成であって、加湿手段で発生したドレン水を排出する本体排水接続口を、本体の点検口側側面に配置し、前記本体排水接続口に接続する排水接続継手を略Ｌ型の曲折経路とし、前記略Ｌ型の排水接続継手を回動自在なジョイント手段とし、前記本体排水接続口と連結したことを特徴とするものである。
【００１１】
また、他の手段は、排水接続継手の排水配管接続側を６角形状としたことを特徴とするものである。
【００１２】
また、他の手段は、排水配管の下り勾配を確保できる範囲で、角度固定部材と回動自在な略Ｌ型の排水接続継手を締結する手段を設けたことを特徴とするものである。
【００１３】
また、他の手段は、排水配管の下り勾配を確保できる範囲で、角度固定機構を略Ｌ型の排水接続継手の回動自在なジョイント手段に設けたことを特徴とするものである。
【００１４】
また、他の手段は、排水接続継手に接続された排水用配管を、下り勾配を確保できる範囲で本体側面に支持する構造を設けたことを特徴とするものである。
【００１５】
また、他の手段は、排水接続継手に接続された排水用配管を、下り勾配を確保できる範囲で給水接続口に支持する構造を設けたことを特徴とするものである。
【００１６】
また、他の手段は、排水接続継手に接続された排水用配管を、下り勾配を確保できる範囲で換気ファンボックスに支持する構造を設けたことを特徴とするものである。
【００１７】
また、他の手段は、本体外に排水配管支持部材を設け、支持部材は本体の一部に固定できる構造を設けたことを特徴とするものである。
【００１８】
また、他の手段は、本体外に排水配管支持部材を設け、支持部材は本体の一部に固定できる構造とし、支持部材を伸縮自在としたことを特徴とするものである。
【発明の効果】
【００１９】
本発明によれば、浴室の空気を循環する循環送風手段と、空気を加熱するための加熱手段と、空気を加湿するための加湿手段を備え、循環送風手段と加熱手段により加熱した加熱空気と、加湿手段により加湿された加湿空気がサウナ対象室に加熱および加湿する構成であって、加湿手段で発生したドレン水を排出する本体排水接続口を、本体の点検口側側面に配置し、前記本体排水接続口に接続する排水接続継手を略Ｌ型の曲折経路とし、前記略Ｌ型の排水接続継手を回動自在なジョイント手段とし、前記本体排水接続口と連結したことにより、排水配管経路を短くすることができるので、施工コストを削減することができ、また、配管経路を簡素化できるため、逆勾配、トラップといった配管施工不良の発生を抑えることができ、さらに、接続継手が左右方向に回動自在なために左右の違いによる施工時の切替が容易となるという効果のあるサウナ装置を提供することができる。
【００２１】
また、排水接続継手の排水配管接続側を６角形状としたことにより、回動自在な排水接続継手に排水配管を接続するときでも、排水接続継手と本体排水接続口に無理な力が加わらずに安定して締結作業を行うことができ、漏水などの施工不良の発生を抑えることができると同時に接続口の破損を防止することができるという効果のあるサウナ装置を提供することができる。
【００２２】
また、排水配管の下り勾配を確保できる範囲で、角度固定部材と回動自在な略Ｌ型の排水接続継手を締結する手段を設けたことにより、排水接続口内、および排水接続口近傍の排水配管の下り勾配を確保するように容易に位置決めをすることができ、排水配管施工を容易かつ確実に行うことができるという効果のあるサウナ装置を提供することができる。
【００２３】
また、排水配管の下り勾配を確保できる範囲で、角度固定機構を略Ｌ型の排水接続継手の回動自在なジョイント手段に設けたことにより、排水接続口内、および排水接続口近傍の排水配管の下り勾配を確保するように容易に位置決めをすることができ、排水配管施工を容易にすることができる。また、角度固定に新たな部品を必要としないので、コストダウンできるという効果のあるサウナ装置を提供することができる。
【００２４】
また、排水接続継手に接続された排水用配管を、下り勾配を確保できる範囲で本体側面に支持する構造を設けたことにより、排水配管を点検口側から見て左右に引き回す場合、特に本体近傍を通過する側に排水配管を引き回す場合に、本体近傍の排水配管の下り勾配を確実に確保できるとともに、配管支持部材を少なくすることができるのでコストダウンできるという効果のあるサウナ装置を提供することができる。
【００２５】
また、排水接続継手に接続された排水用配管を、下り勾配を確保できる範囲で給水接続口に支持する構造を設けたことにより、排水配管を点検口側から見て左右に引き回す場合、特に給水接続口近傍を通過する側に排水配管を引き回す場合に、給水接続口近傍の排水配管の下り勾配を確実に確保できるとともに、配管支持部材を少なくすることができるのでコストダウンできるという効果のあるサウナ装置を提供することができる。
【００２６】
また、排水接続継手に接続された排水用配管を、下り勾配を確保できる範囲で換気ファンボックスに支持する構造を設けたことにより、排水配管を点検口側から見て左右に引き回す場合、特に換気ファンボックス近傍を通過する側に排水配管を引き回す場合に、換気ファンボックス近傍の排水配管の下り勾配を確実に確保できるとともに、配管支持部材を少なくすることができるのでコストダウンできる。さらに、配管を左右方向のみならず点検口側にも引き回す場合でも確実に勾配を確保できるという効果のあるサウナ装置を提供することができる。
【００２７】
また、本体外に排水配管支持部材を設け、支持部材は本体の一部に固定できる構造を設けたことにより、排水接続口内、および排水接続口近傍より離れた位置での排水配管の下り勾配を容易に確保できる。また、点検口から離れた位置に固定部材を設置しなくてもよいので、施工時の作業性が良いという効果のあるサウナ装置を提供することができる。  
【００２８】
また、本体外に排水配管支持部材を設け、支持部材は本体の一部に固定できる構造とし、支持部材を伸縮自在としたことにより、排水接続口内、および排水接続口近傍より離れた位置での排水配管の下り勾配を容易に確保できる。配管の長さに合わせて排水配管支持部材の長さが調整できるので、浴室の大きさに依存せずに確実に下り勾配を確保できるという効果のあるサウナ装置を提供することができる。
【発明を実施するための最良の形態】
【００２９】
本発明の請求項１記載のサウナ装置は、浴室の空気を循環する循環送風手段と、空気を加熱するための加熱手段と、空気を加湿するための加湿手段を備え、循環送風手段と加熱手段により加熱した加熱空気と、加湿手段により加湿された加湿空気がサウナ対象室に加熱および加湿する構成であって、加湿手段で発生したドレン水を排出する本体排水接続口を、本体の点検口側側面に配置し、前記本体排水接続口に接続する排水接続継手を略Ｌ型の曲折経路とし、前記略Ｌ型の排水接続継手を回動自在なジョイント手段とし、前記本体排水接続口と連結したことを特徴としたものであり、本体の点検口側側面に本体排水接続口を設けたことにより、排水配管を点検口側から見て左右に引き回す場合に、左右どちらであっても近似した長さかつ短くなり、また、回動自在な略Ｌ型の排水接続継手を使うことにより、点検口から見た排水路を左右方向に自在形成するという作用を有する。
【００３１】
また、排水接続継手の排水配管接続側を６角形状としたことを特徴としたものであり、排水接続継手に排水配管を接続するときに、回動側のジョイント部に対し、６角形状の部分が固定側となるという作用を有する。
【００３２】
また、排水配管の下り勾配を確保できる範囲で、角度固定部材と回動自在な略Ｌ型の排水接続継手を締結する手段を設けたことを特徴としたものであり、回動自在な略Ｌ型の排水接続継手を角度固定部材と締結することで、排水接続継手の回動を抑制するという作用を有する。
【００３３】
また、排水配管の下り勾配を確保できる範囲で、角度固定機構を略Ｌ型の排水接続継手の回動自在なジョイント手段に設けたことを特徴としたものであり、回動自在な略Ｌ型の排水接続継手を角度固定機構を有するジョイント手段と締結することで、排水接続継手の回動を抑制するという作用を有する。
【００３４】
また、排水接続継手に接続された排水用配管を、下り勾配を確保できる範囲で本体側面に支持する構造を設けたことを特徴としたものであり、排水配管を排水接続継手と本体側面支持構造により、下り勾配を確保するように固定できるという作用を有する。
【００３５】
また、排水接続継手に接続された排水用配管を、下り勾配を確保できる範囲で給水接続口に支持する構造を設けたことを特徴としたものであり、排水配管を排水接続継手と給水接続口支持構造により、下り勾配を確保するように固定できるという作用を有する。
【００３６】
また、排水接続継手に接続された排水用配管を、下り勾配を確保できる範囲で換気ファンボックスに支持する構造を設けたことを特徴としたものであり、排水配管を排水接続継手と換気ファンボックス支持構造により、下り勾配を確保するように固定できるという作用を有する。
【００３７】
また、本体外に排水配管支持部材を設け、支持部材は本体の一部に固定できる構造を設けたことを特徴としたものであり、排水配管を排水接続継手と本体の一部に固定された排水配管支持部材により、下り勾配を確保するように固定できるという作用を有する。
【００３８】
また、本体外に排水配管支持部材を設け、支持部材は本体の一部に固定できる構造とし、支持部材を伸縮自在としたことを特徴としたものであり、排水配管を排水接続継手と本体の一部に固定された伸縮自在な排水配管支持部材により、下り勾配を確保するように固定できるという作用を有する。
【００３９】
以下、本発明の実施の形態について、図面を参照しながら説明する。
【００４０】
（実施の形態１）
図１〜図９において、図１および図２に示すように、サウナ対象室１の空気を循環する循環送風手段２と、空気を加熱するための加熱手段３と、空気を加湿するための加湿手段４を備え、循環送風手段２と加熱手段３により加熱した加熱空気と、循環送風手段２と加湿手段４により加湿された加湿空気がサウナ対象室１に加熱および加湿する構成であって、上水道から供給される上水を利用し、加湿手段４で発生したドレン水を排出する本体排水接続口５を、本体６の点検口側側面７に配置することを特徴とする構成とする。
【００４１】
上記構成により、本体６の点検口側側面７に本体排水接続口５を設けたことにより、排水配管９を点検口８から見て左右に引き回す場合に、左右どちらであっても配管の長さの差が少なく、かつ短くなる。点検口８の位置は浴室の洗い場上部にある場合が多く、排水配管９の施工は点検口８から行う。その際に、本体排水接続口５が点検口側側面７にあると点検口８からの距離が短くなるため、施工も行い易くなる。
【００４２】
また、図３および図４に示すように、本体排水接続口５に接続する排水接続継手１０を略Ｌ型の曲折経路とし、排水配管９の接続側端部に排水配管接続部１１と、本体排水接続口５との接続側端部にジョイント部１２を設けた略Ｌ型の排水接続継手１０を、回動自在なジョイントの手段とし、ジョイントの手段のジョイント部１２を本体排水接続口５と連結し、排水の流れはジョイント部１２から排水配管接続部１１に流れるようにしたことを特徴とする構成とする。
【００４３】
上記構成により、回動自在な略Ｌ型の排水接続継手１０を使うことにより、点検口８から見た排水路を左右方向に自在形成する。なお、回動自在なジョイント手段としては内部にＯリングを配したクイックファスナー方式等が考えられる。
【００４４】
また、図５に示すように、排水接続継手１０の排水配管接続側を６角形状部１３としたことを特徴とする構成とする。
【００４５】
上記構成により、排水接続継手１０に排水配管９を接続するときに、回動側のジョイント部１２に対し、６角形状の部分が固定側となる。６角形状部１３は排水配管９を接続する際に、Ｇネジやテーパーネジのねじ込みトルクに対し、スパナ等の工具で安定して保持することができる。
【００４６】
また、図６に示すように、排水配管９の下り勾配を確保できる範囲で、角度固定部材１４と回動自在な略Ｌ型の排水接続継手１０を締結する手段を設けたことを特徴とする構成とする。
【００４７】
上記構成により、回動自在な略Ｌ型の排水接続継手１０を角度固定部材１４と締結することで、排水接続継手の回動を抑制する。排水接続継手１０を角度固定部材１４と締結方法には、ネジや爪などが考えられるが、適切な下り勾配となるようにネジの締結位置や爪の位置を調整するのが重要である。
【００４８】
図７および図８および図９に示すように、排水配管９の下り勾配を確保できる範囲で、角度固定機構１５ａ、１５ｂを略Ｌ型の排水接続継手１０の回動自在なジョイント手段に設けたことを特徴とする構成とする。
【００４９】
上記構成により、回動自在な略Ｌ型の排水接続継手１０を角度固定機構１５ａ、１５ｂを有するジョイント手段と締結することで、排水接続継手１０の回動を抑制する。回動抑制手段には排水接続継手１０と本体排水接続口５に凹凸のはめ合わせになるような形状を形成し、はめ合わせのクリアランスを調整することにより角度を希望の下り勾配の範囲に固定する。
【００５０】
このように本発明の実施の形態１のサウナ装置によれば、排水配管経路を短くすることができるので、施工コストを削減することができる。また、配管経路を簡素化できるため、逆勾配、トラップといった配管施工不良の発生を抑えることができることとなる。さらに、接続継手が左右方向に回動自在なために左右の違いによる施工時の切替が容易となる。さらに、回動自在な排水接続継手に排水配管を接続するときでも、排水接続継手と本体排水接続口に無理な力が加わらずに安定して締結作業を行うことができ、漏水などの施工不良の発生を抑えることができると同時に接続口の破損を防止することができることとなる。さらに、排水接続口内、および排水接続口近傍の排水配管の下り勾配を確保するように容易に位置決めをすることができ、排水配管施工を容易かつ確実に行うことができる。さらに、角度固定に新たな部品を必要としないのでコストダウンできる。
【００５１】
（実施の形態２）
図１０に示すように、排水接続継手１０に接続された排水用配管９を、下り勾配を確保できる範囲で本体側面に支持する構造、本体側面支持構造１６を設けたことを特徴とする構成とする。
【００５２】
上記構成により、排水配管９を排水接続継手１０と本体側面支持構造１６により、下り勾配を確保するように固定できる。本体側面支持構造１６はバンド形状や、円形状にネジ等での保持部がついたコードクリップなどが適しており、ネジ部の長穴形状などにより、上下方向に支持位置が変更できるような機構を有したものであれば、排水下り勾配の微調整ができる。
【００５３】
また、図１１に示すように、排水接続継手１０に接続された排水用配管９を、下り勾配を確保できる範囲で給水接続口１７に支持する構造を設けたことを特徴とする構成とする。
【００５４】
上記構成により、排水配管９を排水接続継手１０と給水接続口支持構造１８により、下り勾配を確保するように固定できる。
【００５５】
また、図１２に示すように、排水接続継手１０に接続された排水用配管９を、下り勾配を確保できる範囲で換気ファンボックス１９に支持する構造を設けたことを特徴とする構成とする。
【００５６】
上記構成により、排水配管９を排水接続継手１０と換気ファンボックス支持構造２０により、下り勾配を確保するように固定できる。排水配管９が点検口に対して左右方向のみの配置ではなく、排水位置の都合により前後方向に配置されたときでも、前後方向にある換気ファンボックス１９に配管支持構造を設けることで安定した下り勾配が確保できる配管位置の範囲が拡大する。配管支持構造は、引っ掛けやネジ締結により、換気ファンボックス１９と締結されるが、締結位置は換気ファンボックス１９の下部に複数個設けることにより、排水配管９の排水位置を広い範囲で施工することができる。
【００５７】
また、図１３に示すように、本体外に排水配管支持部材２１を設け、排水配管支持部材２１は本体６の一部に固定できる構造を設けたことを特徴とする構成とする。
【００５８】
上記構成により、排水配管９を排水接続継手１０と本体６の一部に固定された排水配管支持部材２１により、下り勾配を確保するように固定できる。
【００５９】
また、図１４に示すように、本体外に排水配管支持部材を設け、支持部材は本体の一部に固定できる構造とし、支持部材を伸縮自在としたことを特徴とする構成とする。
【００６０】
上記構成により、排水配管９を排水接続継手１０と本体６の一部に固定された伸縮自在排水配管支持部材２２により、下り勾配を確保するように固定できる。伸縮自在な機構を有する形状は、釣竿の振り出し機構のようなものでもよく、蛇腹のような形状にて伸縮自在としてもよい。
【００６１】
このように本発明の実施の形態２のサウナ装置によれば、排水配管を点検口側から見て左右に引き回す場合、特に本体近傍を通過する側に排水配管を引き回す場合に、本体近傍の排水配管の下り勾配を確実に確保できるとともに、配管支持部材を少なくすることができるのでコストダウンできる。さらに、給水接続口近傍を通過する側に排水配管を引き回す場合に、給水接続口近傍の排水配管の下り勾配を確実に確保できるとともに、配管支持部材を少なくすることができるのでコストダウンできる。さらに、換気ファンボックス近傍を通過する側に排水配管を引き回す場合に、換気ファンボックス近傍の排水配管の下り勾配を確実に確保できる。さらに、配管を左右方向のみならず点検口側にも引き回す場合でも確実に勾配を確保できる。さらに、排水接続口近傍より離れた位置での排水配管の下り勾配を容易に確保できる。また、点検口から離れた位置に固定部材を設置しなくてもよいので、施工時の作業性が良い。また、配管の長さに合わせて排水配管支持部材の長さが調整できるので、浴室の大きさに依存せずに確実に下り勾配を確保できることとなる。
【産業上の利用可能性】
【００６２】
排水配管工事をともない、機外に排水する機能を要する機器等に適用することができる。
【図面の簡単な説明】
【００６３】
【図１】本発明の実施の形態１のサウナ装置の構成を示す構成図
【図２】同サウナ装置の設置状態を示す構成図
【図３】同サウナ装置の排水接続継手周辺を示す構成図
【図４】同サウナ装置の排水接続継手を示す構成図
【図５】同サウナ装置の排水接続継手の６角形状部を示す構成図
【図６】同サウナ装置の角度固定部材周辺を示す構成図
【図７】同サウナ装置の排水接続継手周辺を示す構成図
【図８】同サウナ装置の角度固定機構を示す構成図
【図９】同サウナ装置の角度固定機構を示す構成図
【図１０】本発明の実施の形態２のサウナ装置の本体側面支持構造周辺を示す構成図
【図１１】同サウナ装置の給水接続口支持構造を示す構成図
【図１２】同サウナ装置の換気ファンボックス支持構造を示す構成図
【図１３】同サウナ装置の排水配管支持部材を示す構成図
【図１４】同サウナ装置の伸縮自在排水配管支持部材を示す構成図
【図１５】従来のサウナ装置の設置状態を示す構成図
【符号の説明】
【００６４】
１      サウナ対象室
２      循環送風手段
３      加熱手段
４      加湿手段
５      本体排水接続口
６      本体
７      点検口側側面
８      点検口
９      排水配管
１０    排水接続継手
１１    排水配管接続部
１２    ジョイント部
１３    ６角形状部
１４    角度固定部材
１５ａ  角度固定機構
１５ｂ  角度固定機構
１６    本体側面支持構造
１７    給水接続口
１８    給水接続口支持構造
１９    換気ファンボックス
２０    換気ファンボックス支持構造
２１    排水配管支持部材
２２    伸縮自在排水配管支持部材
【図１】
0005014939.tif 000002
【図２】
0005014939.tif 000003
【図３】
0005014939.tif 000004
【図４】
0005014939.tif 000005
【図５】
0005014939.tif 000006
【図６】
0005014939.tif 000007
【図７】
0005014939.tif 000008
【図８】
0005014939.tif 000009
【図９】
0005014939.tif 000010
【図１０】
0005014939.tif 000011
【図１１】
0005014939.tif 000012
【図１２】
0005014939.tif 000013
【図１３】
0005014939.tif 000014
【図１４】
0005014939.tif 000015
【図１５】
0005014939.tif 000016